(57)【要約】【課題】  表示パネル部の汚れを防止することができる折畳み式携帯電話機を提供する。【解決手段】  折畳み式携帯電話機１は、第１筐体２と、第２筐体３と、ヒンジ部４（接続部）とを備える。第１筐体２は、表示パネル部２０と第１イヤホン部２１とを有する。第１イヤホン部２１は、表示パネル部２０が設けられた面の反対側の面に設けられる。第２筐体３は、操作ボタン部３０と、第１マイク部３１とを有する。第１マイク部３１は、操作ボタン部３０が設けられた面の反対側の面に設けられる。ヒンジ部４は、第１筐体２と第２筐体３とを折り畳むための第１回転軸Ａ１を有する。また、ヒンジ部４は、表示パネル部２０と操作ボタン部３０とが対向するように第１筐体２と第２筐体３とが折畳まれた状態から、第１筐体２と第２筐体３とを第１回転軸Ａ１を中心に１８０度を超えて開くことが可能なように接続する。【選択図】      図２
2005151547.tif 000002
【特許請求の範囲】
【請求項１】
表示パネル部と、前記表示パネル部が設けられた面の反対側の面に設けられる第１イヤホン部とを有する第１筐体と、
操作ボタン部と、前記操作ボタン部が設けられた面の反対側の面に設けられる第１マイク部とを有する第２筐体と、
前記第１筐体と前記第２筐体とを折り畳むための第１回転軸を有し、前記表示パネル部と前記操作ボタン部とが対向するように前記第１筐体と前記第２筐体とが折畳まれた状態から、前記第１筐体と前記第２筐体とを前記第１回転軸を中心に１８０度を超えて開くことが可能なように接続する接続部と、
を備える折畳み式携帯電話機。
【請求項２】
前記第１筐体は、前記表示パネル部が設けられた面に設けられる第２イヤホン部をさらに有し、
前記第２筐体は、前記操作ボタン部が設けられた面に設けられる第２マイク部をさらに有する、
請求項１に記載の折畳み式携帯電話機。
【請求項３】
前記接続部は、前記第１筐体と前記第２筐体とが１８０度以下の所定角度に開かれた第１状態と、前記第１筐体と前記第２筐体とが１８０度を超える所定角度に開かれた第２状態とに、前記第１筐体と前記第２筐体とを切換可能である、
請求項２に記載の折畳み式携帯電話機。
【請求項４】
前記接続部は、前記第１回転軸に直交し前記第１筐体を反転させるための第２回転軸を有する、
請求項２又は３に記載の折畳み式携帯電話機。
【発明の詳細な説明】
【技術分野】
【０００１】
本発明は、折畳み式携帯電話機に関する。
【背景技術】
【０００２】
一般に、折畳み式携帯電話機は、表示パネル部が設けられる第１筐体と、操作ボタン部が設けられる第２筐体と、第１筐体と第２筐体とを折畳み可能に接続する接続部とを備える。また、第１筐体には、表示パネル部が設けられた面と同じ側にイヤホン部が設けられ、第２筐体には、操作ボタン部が設けられた面と同じ側にマイク部が設けられる。そして、このような折畳み式携帯電話は、表示パネル部と操作ボタン部とが対向した状態となるように折畳まれ、通話時には折畳まれた状態から開かれて使用されることが通常である（特許文献１参照）。
【特許文献１】特開平６−３３８８３７号公報
【発明の開示】
【発明が解決しようとする課題】
【０００３】
しかし、上記のような折畳み携帯電話では、通話時において表示パネル部が汚れることがある。すなわち、通話時にはイヤホン部に耳を近づけるため、イヤホン部と同じ側の面に設けられている表示パネル部に使用者の顔や耳などが触れ、顔の油や化粧などが表示パネル部に付着してしまう。
【０００４】
本発明の課題は、表示パネル部の汚れを防止することができる折畳み式携帯電話機を提供することにある。
【課題を解決するための手段】
【０００５】
請求項１に記載の折畳み式携帯電話機は、第１筐体と、第２筐体と、接続部とを備える。第１筐体は、表示パネル部と第１イヤホン部とを有する。第１イヤホン部は、表示パネル部が設けられた面の反対側の面に設けられる。第２筐体は、操作ボタン部と、第１マイク部とを有する。第１マイク部は、操作ボタン部が設けられた面の反対側の面に設けられる。接続部は、第１筐体と第２筐体とを折り畳むための第１回転軸を有する。また、接続部は、表示パネル部と操作ボタン部とが対向するように第１筐体と第２筐体とが折畳まれた状態から、第１筐体と第２筐体とを第１回転軸を中心に１８０度を超えて開くことが可能なように接続する。
【０００６】
この折畳み式携帯電話機では、第１筐体と第２筐体とを第１回転軸を中心に１８０度を超えて開くことによって、使用者は、通話時において、表示パネル部と操作ボタン部とが設けられた側とは反対側に顔を近づけて通話することができる。このため、通話時において、使用者の顔等が表示パネルに触れることが防止される。これにより、この折畳み式携帯電話機によれば、表示パネル部の汚れを防止することができる。
【０００７】
また、本発明において、第１及び第２所定角度は、後述する第１面乃至第４面を用いて表さない場合は、後述する第２回転軸回りに反転するしないに関わらず、第１イヤホン部と第１マイク部が対向して折り畳まれた状態から２つの筐体が第１回転軸回りに何度開いたかで表される。
【０００８】
従って、例えば、２つの筐体が第１イヤホン部と第１マイク部とが対向するよう折り畳まれた状態から第１回転軸回りに１８０度を超えて開いている場合、２つの筐体は１８０度を超えて開いているというとともに、その状態から第１筐体が第２回転軸回りに１８０度反転した場合も、２つの筐体は１８０度を超えて開いているという。
【０００９】
但し、第１面乃至第４面を用いて角度を表す場合、例えば、第１面（第１イヤホン部側の面）と第３面（第１マイク部側の面）が対向して折り畳まれた状態から２つの筐体が１８０度を超えて開いている場合は、第１面と第３面は１８０度を超えて開いている又は第２面（第１面と反対側の面）と第４面（第３面と反対側の面）は１８０度以下開いているといい、その状態から例えば第１筐体が第２筐体に対して第２回転軸回りに１８０度反転した場合は、第２面と第３面が１８０度を超えて開いている又は第１面と第４面が１８０度以下開いているという。
【００１０】
請求項２に記載の折畳み式携帯電話機は、請求項１に記載の折畳み式携帯電話機であって、第１筐体は、表示パネル部が設けられた面に設けられる第２イヤホン部をさらに有する。また、第２筐体は、操作ボタン部が設けられた面に設けられる第２マイク部をさらに有する。
【００１１】
この折畳み式携帯電話機では、第２イヤホン部が、表示パネル部が設けられた面に設けられ、第２マイク部が、操作ボタン部が設けられた面に設けられる。このため、通話時において、通常の使用、すなわち、表示パネル部および操作ボタン部が設けられた側に顔を近接させて通話を行うことも可能である。
【００１２】
請求項３に記載の折畳み式携帯電話機は、請求項２に記載の折畳み式携帯電話機であって、接続部は、第１筐体と第２筐体とを第１状態と第２状態とに切換可能である。第１状態は、第１筐体と第２筐体とが１８０度以下の所定角度に開かれた状態である。第２状態は、第１筐体と第２筐体とが１８０度を超える所定角度に開かれた状態である。
【００１３】
この折畳み式携帯電話機では、第１状態と第２状態とが切換可能である。このため、通話時には、表示パネル部および操作ボタン部が設けられた側と、その反対側とのいずれの側も使用することができる。従って、例えば、通話時間が短いと予想される場合には、第１状態によって、表示パネル部および操作ボタン部が設けられた側に顔を近接させて通話を行い、通話時間が長いと予想される場合には、第２状態によって、表示パネル部および操作ボタン部が設けられた側に顔を近接させて通話することができる。
【００１４】
請求項４に記載の折畳み式携帯電話機は、請求項２又は３に記載の折畳み式携帯電話機であって、接続部は、第１回転軸に直交し第１筐体を反転させるための第２回転軸を有する。
【００１５】
この折畳み式携帯電話機では、第１筐体を第２回転軸を中心に反転させることによって、通話時に使用者の顔等が表示パネル部に触れて表示パネル部が汚れることを防止することができる。このため、この折畳み式携帯電話機では、第２状態および第１筐体を反転させた状態のいずれにおいても表示パネル部の汚れを防止することができる。
【００１６】
本発明の折り畳み式携帯電話機では、第１状態では、第１イヤホン部と第１マイク部とが無効に且つ第２イヤホン部と第２マイク部とが有効になるとともに、第２状態では、第１イヤホン部と第１マイク部とが有効に且つ第２イヤホン部と第２マイク部とが無効となってもよい。
【００１７】
この場合は、第１状態か第２状態かの状態に合せて、第１イヤホン部、第２イヤホン部、第１マイク部、第２マイク部の有効・無効が切り換えられる。これにより、使用していないマイク部において不要な集音が行われたり、使用していないイヤホン部から音漏れが生じたりすることが防止される。
【００１８】
また、本発明の折り畳み式携帯電話機では、操作ボタン部は、第２状態では入力が受け付けられないキーロック状態となってもよい。
【００１９】
第２状態においては、操作ボタン部は使用者の顔が近接する側とは反対側に位置することとなり、誤って操作ボタン部が押される誤操作が生じる恐れがあるが、このような構成によれば、操作ボタン部は、第２状態では入力が受け付けられないキーロック状態となるため、操作ボタン部の誤操作の恐れを低減することができる。
【００２０】
さらに、本発明の折り畳み式携帯電話機では、操作ボタン部は、第１状態ではキーロック状態を解除可能となる。
【００２１】
また、本発明の折り畳み式携帯電話機では、操作ボタン部は、第１状態ではキーロック状態を解除可能となっても良い。従って、第２状態とした後に、第１状態で折畳み式携帯電話機を使用する場合には、キーロックを解除することによって、再び操作ボタン部を押して操作することができる。
【００２２】
また、本発明の折り畳み式携帯電話機では、表示パネル部は、第２状態では文字情報を表示しない文字情報非表示状態となってもよい。
【００２３】
なお、文字情報非表示状態とは、表示パネル部が消灯された状態、イルミネーションが表示された状態、スクリーンセーバーが表示された状態などである。
【００２４】
この折り畳み式携帯電話機では、表示パネル部は、第２状態では文字情報を表示しない文字情報非表示状態となる。第２状態では表示パネル部は外側に面するが、この折畳み式携帯電話機では、表示パネル部を文字情報非表示状態とすることによって、文字情報を不要に表示されることが防止される。
【００２５】
さらに、本発明の折り畳み式携帯電話機では、第１筐体が第２回転軸を中心に回転して表示パネル部が外側を向いた状態では、第１イヤホン部と第２マイク部とが有効となり、第２イヤホン部と第１マイク部とは無効となってもよい。
【００２６】
この場合は、第１筐体が第２回転軸を中心に回転して表示パネル部が外側を向いた状態では、表示パネル部が設けられた側とは反対側に位置する第１イヤホン部と第２マイク部とが有効となり、その反対側に位置する第２イヤホン部と第１マイク部とは無効となる。このため、表示パネル部が設けられた側とは反対側に顔が近接して通話が行われる場合に、表示パネル部が設けられた側から不要な集音が行われたり音漏れが生じたりすることが防止される。
【発明の効果】
【００２７】
請求項１に記載の折畳み式携帯電話機では、通話時において、使用者の顔等が表示パネルに触れることが防止される。これにより、この折畳み式携帯電話機によれば、表示パネル部の汚れを防止することができる。
【００２８】
請求項２に記載の折畳み式携帯電話機では、通話時において、通常の使用、すなわち、表示パネル部および操作ボタン部が設けられた側に顔を近接させて通話を行うことも可能である。
【００２９】
請求項３に記載の折畳み式携帯電話機では、通話時間が短いと予想される場合には、第１状態によって、表示パネル部および操作ボタン部が設けられた側に顔を近接させて通話を行い、通話時間が長いと予想される場合には、第２状態によって、表示パネル部および操作ボタン部が設けられた側に顔を近接させて通話することができる。
【００３０】
請求項４に記載の折畳み式携帯電話機では、第２状態および第１筐体を反転させた状態のいずれにおいても表示パネル部の汚れを防止することができる。
【発明を実施するための最良の形態】
【００３１】
＜構成＞
本発明の一実施形態にかかる折畳み式携帯電話機１を図１に示す。
【００３２】
この折畳み式携帯電話機１は、第１筐体２と第２筐体３とヒンジ部４（接続部）とを備えている。
【００３３】
［第１筐体２］
第１筐体２は、薄型の略長方形の形状を有しており、通話時において使用者の耳に近接する部分である。第１筐体２は、表示パネル部２０と第１イヤホン部２１と第２イヤホン部２２とを有する。
【００３４】
表示パネル部２０は、第１筐体２の一方の面である第１面１１に設けられ、第１面１１の中央部分に位置する大型の液晶ディスプレイである。この表示パネル部２０には、電話番号やメールなどの文字情報や画像などが表示される。
【００３５】
第１イヤホン部２１は、表示パネル部２０が設けられた第１面１１の反対側の第２面１３に設けられ、第１筐体２の上端近傍に設けられる。第１イヤホン部２１は、通話時に通話相手の音声を出力する。
【００３６】
第２イヤホン部２２は、表示パネル部２０が設けられている第１面１１に設けられ、表示パネル部２０の上方であって第１筐体２の上端近傍に配置される。第２イヤホン部２２は、通話時に通話相手の音声を出力する。
【００３７】
［第２筐体３］
第２筐体３は、薄型の略長方形の形状を有しており、通話時において使用者の口に近接する部分である。第２筐体３は、操作ボタン部３０と第１マイク部３１と第２マイク部３２とを有する。
【００３８】
操作ボタン部３０は、第２筐体３の一方の面である第３面１５に設けられ、通話のオンオフボタンや数字や文字の入力ボタン、カーソルの移動ボタンなどによって構成される。
【００３９】
第１マイク部３１は、操作ボタン部３０が設けられた第３面１５の反対側の第４面１７に設けられ、第２筐体３の下端近傍に配置される。第１マイク部３１は、通話時において折畳み式携帯電話機１の使用者の音声を集音する。
【００４０】
第２マイク部３２は、操作ボタン部３０が設けられた第３面１５に設けられ、操作ボタン部３０の下方であって第２筐体３の下端近傍に配置される。第２マイク部３２は、通話時において折畳み式携帯電話機１の使用者の音声を集音する。
【００４１】
［ヒンジ部４］
ヒンジ部４は、第１筐体２と第２筐体３とを接続する部分であり、第１筐体２の下端および第２筐体３の上端とそれぞれ接続される。ヒンジ部４は、第１回転軸Ａ１と第２回転軸Ａ２との２つの回転軸を有する。
【００４２】
第１回転軸Ａ１は、第１筐体２と第２筐体３とを折り畳むための回転軸であり、主として第１筐体２が第１回転軸Ａ１を中心に回転することによって、折畳み式携帯電話機１は、折畳み状態から開いた状態へ、又は、開いた状態から折畳み状態へと移行する。この折畳み式携帯電話機１では、ヒンジ部４は、表示パネル部２０と操作ボタン部３０とが対向するように第１筐体２と第２筐体３とが折畳まれた状態（以下「第１折畳み状態」）から、第１筐体２と第２筐体３とを第１回転軸Ａ１を中心に１８０度を超えて開くことが可能なように接続する（図２参照）。
【００４３】
ヒンジ部４は、図３に示すように、第１ストッパー４１および第２ストッパー４２を有している。第１ストッパー４１および第２ストッパー４２は、ヒンジ部４の周面から突出する小さな突起状の形状を有している。第１筐体２が、図４（ａ）に示す第１折畳み状態から第１回転軸Ａ１を中心に回転し、第１筐体２側に設けられた溝に第１ストッパー４１が係止することによって、折畳み式携帯電話機１は第１状態に保持される。第１状態とは、図４（ｂ）に示すように、第１筐体２と第２筐体３とが１８０度以下の所定角度に開かれた状態であり、例えば、１１０度以上１７０度以下の所定角度に開かれた状態である。    
【００４４】
また、第１筐体２が、第１状態から第１回転軸Ａ１を中心にさらに回転し、第１筐体２側に設けられた溝に第２ストッパー４２が係止することによって、折畳み式携帯電話機１は第２状態に保持される。第２状態とは、図４（ｃ）に示すように、第１筐体２と第２筐体３とが１８０度を超えての所定角度に開かれた状態であり、例えば、１９０度以上２５０度以下の所定角度に開かれた状態である。このように、ヒンジ部４は、第１状態と第２状態とに、第１筐体２と第２筐体３とを切換可能である。
【００４５】
第２回転軸Ａ２は、第１回転軸Ａ１に直交し、第１筐体２を反転させるための回転軸である。例えば、折畳み式携帯電話機１が第１状態にある場合に、図５に示すように、第１筐体２を第２回転軸Ａ２を中心に１８０度回転させることによって、表示パネル部２０が設けられた第１面１１を外側へと向いた状態（以下「第３状態」）にすることができる。
【００４６】
なお、第３状態のまま第１回転軸Ａ１を中心に第１筐体２を回転させて折畳み状態とすることも可能である。このような折畳み状態では、第１折畳み状態とは異なり、表示パネル部２０が外側に面した状態となる。
【００４７】
また、折り畳み式携帯電話機１が第２状態にある場合に、第２回転軸Ａ２回りに反転させることによって第１面１１が外側を向いた状態（以下「第４状態」）にすることができる。そして、第３状態の場合と同様に、第４状態のまま第１回転軸Ａ１回りに第１筐体２を回転させて折り畳み状態とすることも可能であり、このような折り畳み状態では、表示パネル部２０が外側に面した状態となる。
【００４８】
［折畳み式携帯電話機１の開閉動作］
この折畳み式携帯電話機１は、使用者の選択によって第１状態および第２状態のいずれの状態においても通話を行うことが可能である。すなわち、折畳み式携帯電話機１は、第１折畳み状態から第１筐体２が開かれることによって第１状態へと移行するだけではなく、さらに１８０度より大きな角度に第１筐体２を開くことによって第２状態へと移行させることが可能である。第１状態と第２状態とのいずれの状態においても、使用者は、通話時には１８０以下の角度となっている側に顔を近接させて通話を行う。１８０以下の角度となっている側に顔を近接させる方が、折畳み式携帯電話機１が顔の形状にフィットするため、マイクと口あるいはイヤホンと耳とが近接して通話が行い易いからである。１８０度以下の角度となっている側とは、第１状態では、表示パネル部２０および操作ボタン部３０に面する側であり（図１参照）、第２状態では、表示パネル部２０および操作ボタン部３０に面する側とは反対側である（図２参照）。
【００４９】
なお、第１状態では、第１イヤホン部２１と第１マイク部３１とが無効に且つ第２イヤホン部２２と第２マイク部３２とが有効となる。また、第２状態では、第１イヤホン部２１と第１マイク部３１とが有効に且つ第２イヤホン部２２と第２マイク部３２とが無効となる。
【００５０】
折畳み式携帯電話機１が第１状態と第２状態とのいずれの状態となっているかは、図４に示す機構によって検出される。この機構では、ヒンジ部４に第１電極面４３と第２電極面４４とが設けられており、また、第１筐体２に第３電極面２３が設けられている。この機構では、第１筐体２が第１回転軸Ａ１を中心に回転することによって、この第３電極面２３が移動して第１電極面４３や第２電極面４４と接触する。これによって、上記のような有効・無効の切り換えが行われる。
【００５１】
具体的には、まず、図４（ａ）に示す第１折畳み状態においては、第３電極面２３は、第１電極面４３および第２電極面４４のいずれとも接触しておらず、第１イヤホン部２１、第１マイク部３１、第２イヤホン部２２、第２マイク部３２の全てが無効となり、表示パネル部２０が消灯となる。第１筐体２が第１回転軸Ａ１を中心に回転して、図４（ｂ）に示すように第３電極面２３が第１電極面４３と接触すると、折畳み式携帯電話機１が第１状態になったと判断される。そして、第１イヤホン部２１と第１マイク部３１が無効に且つ第２イヤホン部２２と第２マイク部３２とが有効となり、表示パネル部２０がオン状態となる。第１筐体２がさらに回転して、図４（ｃ）に示すように第３電極面２３が第２電極面４４と接触すると、折畳み式携帯電話機１が第２状態となったと判断される。そして、第１イヤホン部２１と第１マイク部３１が有効に且つ第２イヤホン部２２と第２マイク部３２とが無効となる。また、第２状態では、操作ボタン部３０は、入力が受け付けられないキーロック状態となる。このキーロック状態は、第１状態において操作ボタン部３０の長押しが行われることによって解除される。さらに、第２状態では、表示パネル部２０は、文字情報を表示しない文字情報非表示状態となる。文字情報非表示状態とは、例えば、表示パネル部２０が消灯された状態、イルミネーションやスクリーンセーバーが表示された状態などである。
【００５２】
また、この折畳み式携帯電話機１では、図５のように第１筐体２を第２回転軸Ａ２を中心に回転させて表示パネル部２０が外側を向いた状態にすることが可能であるが、この状態では、第１イヤホン部２１と第２マイク部３２とが有効となり、第２イヤホン部２２と第１マイク部３１とは無効となる。
【００５３】
＜特徴＞
（１）
この折畳み式携帯電話機１では、図２に示す第２状態で通話を行うことによって表示パネル部２０の汚れを防止することができる。すなわち、第２状態では、折畳み式携帯電話機１の１８０度以下の角度となる側の面が、表示パネル部２０が設けられた側とは反対側になるため、使用者の顔や耳が表示パネル部２０に接触することがなく、顔等の油や化粧が表示パネル部２０に付着して表示パネル２０が汚れることが防止される。
【００５４】
（２）
この折畳み式携帯電話機１では、第１状態と第２状態とで、第１イヤホン部２１、第１マイク部３１、第２イヤホン部２２、第２マイク部３２の有効・無効が上記のように切り換わる。すなわち、第１イヤホン部２１、第１マイク部３１、第２イヤホン部２２、第２マイク部３２のうち、使用者の顔が近接する側とは反対側に位置するものが無効とされ、使用者の顔が近接する側に位置するものが有効とされる。従って、第１状態と第２状態とにおいて、それぞれ使用される側のマイク部とイヤホン部とが有効とされ、使用されない側のマイク部とイヤホン部とが無効とされる。これにより、不要な集音や音漏れを防止することができる。
【００５５】
（３）
この折畳み式携帯電話機１では、第２状態においては操作ボタン部３０が使用できないキーロック状態となる。第２状態では、通話時において、操作ボタン部３０が外側に位置することとなるが、キーロック状態となることによって誤操作が防止される。
【００５６】
また、第１状態おいて操作ボタン部３０の使用が必要な場合には、操作ボタン部３０を長押しすることによって、キーロックを解除することができる。
【００５７】
（４）
この折畳み式携帯電話機１では、第１筐体２を第２回転軸Ａ２を中心に回転させて表示パネル部２０が外側を向いた第３状態にすることが可能である。このような第３状態によっても、使用者の顔や耳が表示パネル部２０に接触することがなく、顔等の油や化粧が表示パネル部２０に付着して表示パネル部２０が汚れることが防止される。
【００５８】
［他の実施形態］
各筐体のＡ２軸回りの回転角度は、１８０度に限らず、９０度等の他の角度であっても良い。この場合、Ａ２軸回りの開閉角度ごとに異なる機能がさらに割り当ててられても良い。
【産業上の利用可能性】
【００５９】
本発明は、表示パネル部の汚れを防止することができる効果を有し、折畳み式携帯電話機として有用である。
【図面の簡単な説明】
【００６０】
【図１】第１状態における折畳み式携帯電話機の外観図。
【図２】第２状態における折畳み式携帯電話機の外観図。
【図３】ヒンジ部の外観図。
【図４】折畳み式携帯電話機の開閉動作を示す側面図。
【図５】第３状態における折畳み式携帯電話機の外観図。
【符号の説明】
【００６１】
１          折畳み式携帯電話機
２          第１筐体
３          第２筐体
４          ヒンジ部（接続部）
２０        表示パネル部
２１        第１イヤホン部
２２        第２イヤホン部
３０        操作ボタン部
３１        第１マイク部
３２        第２マイク部
Ａ１        第１回転軸
Ａ２        第２回転軸
【図１】
2005151547.tif 000003
【図２】
2005151547.tif 000004
【図３】
2005151547.tif 000005
【図４】
2005151547.tif 000006
【図５】
2005151547.tif 000007